(57)【要約】      （修正有）【課題】首巻き本体Ａとスカーフのような帯状体Ｂとを容易に組み合わせて使用することができるようにした首巻きを提供する。【解決手段】本首巻きは、起毛素材からなる帯状の起毛部１０の裏地に帯状体Ｂを挿通するための通し穴を設ける保持部材２１を直列に複数取り付けた首巻き本体Ａが備えられている。前記保持部材２１と保持部材２１との間の間隔が保持部材２１の長さＬよりも短くされている。また、本首巻きは、前記各保持部材２１の通し穴内に挿通される帯状体Ｂが備えられてもよい。【選択図】図２
0003126282.tif 000002
【実用新案登録請求の範囲】
【請求項１】
起毛素材からなる帯状の起毛部の裏地に帯状体を挿通するための通し穴を設ける保持部材を直列に複数取り付けた首巻き本体が備えられていることを特徴とする首巻き。
【請求項２】
前記保持部材は、所定の長さを有し、該長さが前記保持部材と保持部材との間の間隔よりも長くされていることを特徴とする請求項１に記載の首巻き。
【請求項３】
前記保持部材は、所定の長さを有し、該長さが幅よりも短く形成されていることを特徴とする請求項１に記載の首巻き。
【請求項４】
前記保持部材は、前記起毛部の裏地の両端部にのみ取り付けられていることを特徴とする請求項３に記載の首巻き。
【請求項５】
前記保持部材は、伸縮性を有していることを特徴とする請求項１から４のいずれか１項に記載の首巻き。
【請求項６】
前記各保持部材の通し穴内に挿通される帯状体が備えられていることを特徴とする請求項１ないし５のいずれか１項に記載の首巻き。
【考案の詳細な説明】
【技術分野】
【０００１】
本考案は、マフラーやストールなどとして用いられる首巻きに関し、詳しくは、毛皮や繊維などで作られた起毛素材からなる帯状の起毛部を備え、防寒性とファッション性とを兼ねている首巻きに関する。
【背景技術】
【０００２】
防寒性とファッション性とを兼ねた首巻きないし襟巻きが各種提供されている。例えば、特許文献１には、図５に示すように挿通部１ａを長手方向に全長にわたって形成した筒状の襟巻き本体１と、この襟巻き本体１よりも長尺のスカーフ２とで構成された襟巻きが開示されている。この襟巻きは、襟巻き本体１のみで使用するときと、襟巻き本体１の挿通部１ａ内にスカーフ２を挿通して使用するときの２通りの使用方法を選択することができる。したがって、この襟巻きは、ＴＰＯや好みに応じて異なる雰囲気を演出することができる。
【０００３】
【特許文献１】登録実用新案第３１１２４６０号公報
【考案の開示】
【考案が解決しようとする課題】
【０００４】
特許文献１に開示された襟巻きは、スカーフ２と襟巻き本体１とを組み合わせて使用する場合において、スカーフ２は襟巻き本体１の挿通部１ａに挿通しなければならない。しかし、挿通部１ａは襟巻き本体１の全長にわたって形成され、しかもスカーフ２は柔らかくて芯がないため、棒状の道具を使用することにより、スカーフ２を挿通部１ａに挿通することができる。しかし、道具を使用することは、面倒であるばかりか、外出先において、道具がない場合があり、そうすると、スカーフ２と襟巻き本体１とを組み合わせて使用することができない。
【０００５】
そこで、本考案は、首巻き本体とスカーフのような帯状体とを容易に組み合わせて使用することができるようにした首巻きを提供することを課題とする。
【課題を解決するための手段】
【０００６】
本考案に係る首巻きは、起毛素材からなる帯状の起毛部の裏地に帯状体を挿通するための通し穴を設ける保持部材を直列に複数取り付けた首巻き本体が備えられていることを特徴としている。
【０００７】
この首巻きによれば、首巻き本体が起毛部の裏地に複数の保持部材を直列に取り付けたものとされることにより、保持部材と保持部材との間に起毛部の裏地が露出する部分（以下、「合間部」という。）が設けられる。したがって、この保持部材と起毛部の裏地との間に設けられる通し穴に薄手のマフラーやスカーフなどの帯状体を挿通すると、この帯状体の先端部が一旦、合間部から露出する。使用者は、この帯状体の先端部を摘んで隣りの通し穴に続けて挿通することができる。このようにして、使用者は、道具を使用しなくても、帯状体を複数の通し穴に容易に挿通することができる。そして、首巻きは、首巻き本体と帯状体とを一体に組み合わせたものとされることにより、首巻き本体又は帯状体が単体で使用される場合と異なったデザインを生み出すことができる。
【０００８】
また、前記本考案に係る首巻きにおいて、前記保持部材は、所定の長さを有し、該長さが前記保持部材と保持部材との間の間隔よりも長くされていてもよい。この首巻きによれば、保持部材が所定の長さを有し、この長さが保持部材と保持部材との間の間隔、すなわち合間部の長さよりも長くされることにより、帯状体が保持部材の通し穴内に挿通されている部分が合間部から露出している部分よりも長くなり、帯状体が起毛部からずれて垣間見えることがないようにすることができる。
【０００９】
また、前記本考案に係る首巻きにおいて、前記保持部材は、所定の長さを有し、該長さが幅よりも短く形成されていてもよい。この首巻きによれば、保持部材の長さがが幅よりも短くされることにより、保持部材はベルト通しのようになり、帯状体を保持部材の通し穴に挿通しやすくすることができる。
【００１０】
また、前記本考案に係る首巻きにおいて、前記保持部材は、前記起毛部の裏地の両端部にのみ取り付けられていてもよい。この首巻きによれば、保持部材が起毛部の裏地の両端部にのみ取り付けられることにより、帯状体が起毛部の裏地に沿うことなく、首に巻いた首巻き本体の両端部を引っ掛けるようにとして使用し、首巻き本体の両端部が離間することなく近接した状態を維持するようにすることができる。
【００１１】
また、前記本考案に係る首巻きにおいて、前記保持部材は、伸縮性を有していてもよい。この首巻きによれば、保持部材が伸縮性を有していることにより、保持部材の通し穴に挿通された帯状体は、締め付けられるようになって、ずれないようにすることができる。
【００１２】
また、前記本考案に係る首巻きにおいて、前記各保持部材の通し穴内に挿通される帯状体が備えられていてもよい。この首巻きによれば、この首巻きによれば、首巻き本体と帯状体とがセットで提供されることにより、首巻き本体のデザインとマッチする帯状体を組み合わせることができる。なお、首巻き本体と帯状体とがセットで提供されないときは、使用者が任意の帯状体を首巻き本体に組み合わせて使用することができる。
【考案の効果】
【００１３】
本考案によれば、首巻きに備えられた首巻き本体が、帯状の起毛部の裏地に通し穴を設ける保持部材を直列に複数取り付けたものとされたことにより、道具を使用しなくても、帯状体を保持部材によって設けられた通し穴に容易に挿通することができる。したがって、本考案に係る首巻きは、外出先などにおいても、首巻き本体と帯状体とを一体に組み合わせた新たなデザインを急遽、演出することができるようになる。
【考案を実施するための最良の形態】
【００１４】
本考案に係る首巻きの実施形態について図１ないし図４を参照しながら説明する。この首巻きは、薄手のマフラーやスカーフのような帯状体Ｂと一体的に組み合わせるための首巻き本体Ａを備えている。この首巻き本体Ａは、毛皮や繊維などで作られた起毛素材からなる帯状の起毛部１０の裏地１１に帯状体Ｂを挿通するための通し穴２１ａ，２２ａを設ける保持部材２１，２２を直列に複数取り付けたことを特徴としている。
【００１５】
図１に示す首巻き本体Ａは、４枚の帯状の保持部材２１，２１…が一定の間隔を空けて起毛部１０の裏地１１に直列に取り付けられている。この保持部材２１は、所定の長さＬを有し、この長さＬが幅Ｄよりも長く、帯状とされている。ただし、保持部材２１は、長さＬと幅Ｄとをほぼ同じとし、５枚以上、起毛部１０の裏地１１に取り付けてもよい。いずれにしても、保持部材２１と起毛部１０の裏地１１との間が通し穴２１ａとされる。
【００１６】
そして、各保持部材２１，２１の間は、起毛部１０の裏地１１が露出する合間部３０とされる。このような首巻き本体Ａは、図１に示すような単体で使用することができるだけでなく、図２に示すように、帯状体Ｂと組み合わせて使用することができる。
【００１７】
すなわち、帯状体Ｂは、通し穴２１ａに挿通されることによって首巻き本体Ａと一体化される。保持部材２１が起毛部１０の裏地１１の全長にわたって取り付けられず、合間部３０が設けられていることにより、使用者は、帯状体Ｂの先端部を、例えば右側の通し穴２１ａに挿通し、この帯状体Ｂの先端部が左側の合間部３０から露出するようにする。そして、使用者がその帯状体Ｂの先端部を引っ張ることにより、帯状体Ｂは通し穴２１ａ内をスムーズに移動する。
【００１８】
そして、使用者は、続けてこの帯状体Ｂの先端部を左隣りの通し穴２１ａに容易に挿通することができ、前記と同様、左側の合間部３０から露出させ、帯状体Ｂの先端部を引っ張る。このように、使用者は道具を使用しなくても、帯状体Ｂを全ての通し穴２１ａに挿通することができ、図２に示すような首巻き本体Ａと帯状体Ｂとを一体化した首巻きを使用することができる。
【００１９】
この首巻き本体Ａは、保持部材２１の長さＬが合間部３０の長さＭよりも長くされているため、帯状体Ｂが合間部３０で露出する部分は、通し穴２１ａ内に挿通されている部分よりも短く、帯状体Ｂが首巻き本体Ａからずれることがなく、垣間見えることがないため、見栄えが悪くなることがない。
【００２０】
次に、図３に示す首巻き本体Ａについて説明する。この首巻き本体Ａは、保持部材２２が起毛部１０の裏地１１の両端部の２か所のみ取り付けられている。この保持部材２２は、所定の長さＬを有し、この長さＬが幅Ｄよりも短く、ベルト通しのようにされている。この保持部材２２と起毛部１０の裏地１１との間が通し穴２２ａとされる。そして、この保持部材２２は、帯状体Ｂを軽く締めるため、ゴムのように伸縮性を有している素材によって形成されていることが好ましい。
【００２１】
この首巻き本体Ａは、図３に示すような単体で使用することができるだけでなく、図４に示すように帯状体Ｂと組み合わせて使用することができる。すなわち、この首巻きは、帯状体Ｂを２か所の通し穴２２ａに挿通して使用する。保持部材２２がベルト通しのように短く形成されているため、極めて容易に帯状体Ｂを通し穴２２ａに挿通することができる。この帯状体Ｂは、保持部材２２が伸縮性を有していると、保持部材２２に軽く締められるようになって、ずれることがない。
【００２２】
そして、保持部材２２が起毛部１０の裏地１１の両端部にのみ取り付けられていることにより、帯状体Ｂは、図４に示すように、首巻き本体Ａの両端部が離間することなく近接した状態を維持するようにすることができる。ただし、この首巻きであっても、図２に示すように、帯状体Ｂが首巻き本体Ａの全長に沿うように使用してもよい。
【００２３】
このような首巻きが首に巻かれると、首巻き本体Ａだけ、又は帯状体Ｂだけを首に巻くときと異なった斬新なデザインが生み出される。ただし、首巻き本体Ａと帯状体Ｂとの組合せによっては、趣味の悪いデザインが生み出されることもある。したがって、首巻きは、首巻き本体Ａと好ましい組合せとなる帯状体Ｂが備えられていてもよい。いずれにしても、帯状体Ｂは、首巻き本体Ａの通し穴２１ａ，２２ａから容易に抜き取ることができるため、ＴＰＯに応じて、首巻き本体Ａのみ、あるいは帯状体Ｂのみ使用することができる。
【００２４】
なお、本考案は、前記実施形態に限定することなく、実用新案登録請求の範囲に記載した考案特定事項の範囲内において、種々変更することができる。例えば、首巻き本体Ａは、図３に示したような短い保持部材２２を起毛部１０の裏地１１の両端部の２か所ではなく、中間部に合計３か所以上に取り付けてもよい。また、図１に示した首巻き本体Ａにおいても、保持部材２１が伸縮性を有するようにしてもよい。
【図面の簡単な説明】
【００２５】
【図１】本考案に係る首巻きに備えられている首巻き本体の第１の実施形態を示す概略斜視図である。
【図２】本考案に係る首巻きの第１の実施形態を示す概略斜視図である。
【図３】本考案に係る首巻きに備えられている首巻き本体の第２の実施形態を示す概略斜視図である。
【図４】本考案に係る首巻きの第２の実施形態を示す概略斜視図である。
【図５】従来の襟巻きを首に巻いている態を示す概略正面図である。
【符号の説明】
【００２６】
Ａ…首巻き本体
Ｂ…帯状体
Ｄ…保持部材の幅
Ｌ…保持部材の長さ
１０…起毛部
１１…裏地
２１，２２…保持部材
２１ａ，２２ａ…通し穴
【図１】
0003126282.tif 000003
【図２】
0003126282.tif 000004
【図３】
0003126282.tif 000005
【図４】
0003126282.tif 000006
【図５】
0003126282.tif 000007